(57)【要約】【課題】リモート無線ヘッドを備えた分散型無線システムを提供する。【解決手段】分散型アンテナシステム（ＤＡＳ）において信号をルーティングするシステムは、複数のデジタル・マルチプレクサ・ユニット（ＤＭＵ）を含む。複数のＤＭＵは、結合され複数のＤＭＵ間で信号をルーティングするように動作可能である。複数のＤＭＵの各々は、ベースバンド・ユニット（ＢＢＵ）からのデジタル信号を受信するように動作可能である。システムは、複数のＤＭＵの少なくとも１つに結合されＤＲＵと複数のＤＭＵの少なくとも１つとの間で信号を移送するように動作可能な複数のデジタル・リモート・ユニット（ＤＲＵ）を同様に含む。【選択図】図１
2020150563.tif 000002
【特許請求の範囲】
【請求項１】
分散型アンテナシステムにおいて信号をルーティングするシステムであって、前記システムは、
複数のデジタル・マルチプレクサ・ユニット（ＤＭＵ）であって、前記複数のＤＭＵは、結合され、複数のＤＭＵ間で信号をルーティングするように動作可能であり、前記複数のＤＭＵの各々は、ベースバンド・ユニット（ＢＢＵ）からデジタル信号を受信するように動作可能である、複数のデジタル・マルチプレクサ・ユニット（ＤＭＵ）と、
前記複数のＤＭＵの少なくとも１つに結合され、ＤＲＵと前記複数のＤＭＵの前記少なくとも１つとの間で信号を移送するように動作可能な複数のデジタル・リモート・ユニット（ＤＲＵ）と、
を備える、システム。
【請求項２】
前記ＢＢＵは、ベース・トランシーバ・ステーションの部品である、請求項１に記載のシステム。
【請求項３】
前記複数のＤＭＵの前記少なくとも１つは、第２のＢＢＵから追加のデジタル信号を受信するように動作可能である、請求項１に記載のシステム。
【請求項４】
前記ＤＭＵは、前記第２のＢＢＵからの信号を前記複数のＤＲＵへルーティングするように動作可能である、請求項３に記載のシステム。
【請求項５】
ベース・トランシーバ・ステーション（ＢＴＳ）からのＲＦ信号を受信するように動作可能である１つまたは複数のデジタル・アクセス・ユニット（ＤＡＵ)をさらに含む、請求項１に記載のシステム。
【請求項６】
前記複数のＤＭＵは、前記１つまたは複数のＤＡＵと相互接続される、請求項５に記載のシステム。
【請求項７】
前記複数のＤＭＵは、イーサネット（登録商標）ケーブル、光ファイバ、マイクロウェーブ・ライン・オブ・サイトもしくは非ライン・オブ・サイト・リンク、ワイヤレスリンク、または衛星リンクの少なくとも１つを介して結合される、請求項１に記載のシステム。
【請求項８】
前記複数のＤＭＵは、イーサネット（登録商標）ケーブル、光ファイバ、マイクロウェーブ・ライン・オブ・サイトもしくは非ライン・オブ・サイト・リンク、ワイヤレスリンク、または衛星リンクの少なくとも１つを介して、前記複数のＤＲＵに結合される、請求項１に記載のシステム。
【請求項９】
前記複数のＤＲＵは、デイジーチェーン構成で接続される、請求項１に記載のシステム。
【請求項１０】
前記複数のＤＲＵは、星状構成で前記複数のＤＭＵの前記少なくとも１つに結合される、請求項１に記載のシステム。
【請求項１１】
前記ＤＭＵは、イーサネット（登録商標）ケーブル、光ファイバ、マイクロウェーブ・ライン・オブ・サイトもしくは非ライン・オブ・サイト・リンク、ワイヤレスリンク、または衛星リンクの少なくとも１つを介して、前記ＢＢＵに接続される、請求項１に記載のシステム。
【請求項１２】
前記複数のＤＲＵは、ループ構成で接続される、請求項１に記載のシステム。
【請求項１３】
前記複数のＤＭＵの前記少なくとも１つに結合されるデジタル・インタフェース・ユニット（ＤＩＵ)と、
前記ＤＩＵに結合される複数のリモート無線ヘッドをさらに含む、請求項１に記載のシステム。
【請求項１４】
分散型アンテナシステム（ＤＡＳ）を動作する方法であって、前記方法は、
ベースバンド・ユニット（ＢＢＵ）からのデジタル信号を少なくとも１つのデジタル・マルチプレクサ・ユニット（ＤＭＵ）で受信するステップと、
ベース・トランシーバ・ステーション（ＢＴＳ）からのＲＦ信号を少なくとも１つのデジタル・アクセス・ユニット（ＤＡＵ) で受信するステップと、
受信された前記ＲＦ信号をベースバンド信号へ変換するステップと、
前記ベースバンド信号をデジタル・リモート・ユニット（ＤＲＵ）へ送信するステップと、
受信された前記デジタル信号をデジタル・インタフェース・ユニット（ＤＩＵ)へ送信するステップと、
受信された前記ＤＩＵからの前記デジタル信号をリモート無線ヘッド（ＲＲＨ)へ送信するステップと、
を含む、方法。
【請求項１５】
前記ＲＲＨは、前記ＤＩＵに結合された複数のＲＲＨの１つである、請求項１４に記載の方法。
【請求項１６】
前記複数のＲＲＨは、デイジーチェーン構成で前記ＤＩＵに結合される、請求項１５に記載の方法。
【請求項１７】
前記複数のＲＲＨは、各々の組が星状構成で前記ＤＩＵに結合される２組のＲＲＨを含む、請求項１５に記載の方法。
【請求項１８】
複数のデジタル・マルチプレクサ・ユニット（ＤＭＵ）、複数のデジタル・リモート・ユニット（ＤＲＵ）、少なくとも１つのデジタル・インタフェース・ユニット（ＤＩＵ)、および複数のリモート無線ヘッド（ＲＲＨ)を含む分散型アンテナシステム（ＤＡＳ）において信号をルーティングする方法であって、前記方法は、
複数のベースバンド・ユニット（ＢＢＵ）の１つからのデジタル信号を、前記複数のＤＭＵの少なくとも１つで、受信するステップと、
前記複数のＤＭＵの前記少なくとも１つからの前記デジタル信号を前記少なくとも１つのＤＩＵへ移送するステップと、
前記少なくとも１つのＤＩＵと前記複数のＲＲＨとの間で信号を移送するステップと、
デジタル・アクセス・ユニット（ＤＡＵ)でＲＦ信号を受信するステップと、
前記ＲＦ信号を第２のデジタル信号へ変換するステップと、
前記第２のデジタル信号を前記複数のＤＲＵへ移送するステップと、
を含む、方法。
【請求項１９】
前記デジタル信号は、前記ＤＡＵへ移送され、前記ＤＡＵを通過する、請求項１８に記載の方法。
【請求項２０】
前記ＲＲＨの１つからの第１信号は、前記ＤＡＵで受信され、前記ＤＭＵへ通過する、請求項１８に記載の方法。
【発明の詳細な説明】
【技術分野】
【０００１】
関連出願の相互参照
[0001]本出願は、その開示がすべての目的で全体として参照により本明細書に援用される、「リモート無線ヘッドを備えた分散型無線システム（“Ｄｉｓｔｒｉｂｕｔｅｄ  Ｒａｄｉｏ  Ｓｙｓｔｅｍ  ｗｉｔｈ  Ｒｅｍｏｔｅ  Ｒａｄｉｏ  Ｈｅａｄｓ”）」という題の、２０１４年３月５日に提出された、米国仮特許出願第６１／９４８，４８４号明細書の優先権を主張する。
【背景技術】
【０００２】
[0002]分散型アンテナシステム（ＤＡＳ：Ｄｉｓｔｒｉｂｕｔｅｄ  Ａｎｔｅｎｎａ  Ｓｙｓｔｅｍ）を採用するワイヤレス・コミュニケーション・システム が利用可能である。ＤＡＳは、１つまたは複数のホストユニット、光ファイバまたは他の適切な移送インフラ、および複数のリモートアンテナユニットを典型的に含む。無線基地局は、基地局ホテルとして一般に知られるホストユニットロケーションにおいてたびたび採用され、そしてＤＡＳは、複数のリモートアンテナユニット間で基地局のダウンリンクおよびアップリンク信号の配送のための手段を提供する。リモートアンテナユニットへおよびからの信号のルーティングを伴うＤＡＳアーキテクチュアは、固定されまたはリコンフィギャラブルとなり得る。
【０００３】
[0003]ＤＡＳは、そのリモートアンテナユニットは物理的に無線加入者の近くにあるため、信号強度およびスループットの見通しに利点を有する。そのＤＡＳのベネフィットは、サービスの質およびデータスループットを強化することと同様に、平均的なダウンリング送信電力を低減すること、および平均的なアップリンク送信電力を低減することを含む。
【発明の概要】
【発明が解決しようとする課題】
【０００４】
[0004]ワイヤレス・コミュニケーション・システムによってなされた進歩にもかかわらず、ワイヤレス・コミュニケーションに関連した改善された方法およびシステムへのニーズが存在する。
【課題を解決するための手段】
【０００５】
[0005]本発明は、一般に、分散型ワイヤレスネットワークの一部として分散型アンテナシステム（ＤＡＳ）を使用するワイヤレス通信システムに関連する。より具体的には、本発明は、デジタル・リモート・ユニット（ＤＲＵ：Ｄｉｇｉｔａｌ  Ｒｅｍｏｔｅ  Ｕｎｉｔ）およびリモート無線ヘッド（ＲＲＨ：Ｒｅｍｏｔｅ  Ｒａｄｉｏ  Ｈｅａｄ）を利用するＤＡＳに関連する。ワイヤレス・ネットワーク・オペレータおよびモバイル・ネットワーク・オペレータは、高いトラフィック密度および高いデータ−トラフィック成長速度を効果的に管理するネットワークを構築するという継続的な課題に直面している。エンドユーザのためのマルチメディアコンテンツの移動性およびより高いレベルは、通常、新たなサービスならびにブロードバンドおよび定額インターネットアクセスへのより大きい要求をサポートする終端間ネットワーク適合および拡張を、要求する。分散型アンテナシステム（ＤＡＳ）は、所与の地理的な区域に分散されるさまざまなアンテナに信号をルーティングするための機構を提供する。信号は通常、ＲＦ周波数でベース・トランシーバ・ステーション（ＢＴＳ：ｂａｓｅ  ｔｒａｎｓｃｅｉｖｅｒ  ｓｔａｔｉｏｎ）から、またはベースバンド・ユニット（ＢＢＵ：Ｂａｓｅｂａｎｄ  Ｕｎｉｔ）からデジタル方式で発生する。ＢＢＵは分散型基地局システムの一部であり、リモート無線ヘッドはＢＢＵから物理的に分離される。この種類の分散型アーキテクチャは、ネットワーキングの柔軟性を増加させ、ネットワークを動作および維持するコストを減少させることができる。ＢＢＵとＲＲＨとの間のいくつかの一般的なインタフェース規格は、ＯＢＳＡＩ（Ｏｐｅｎ  Ｂａｓｅ  Ｓｔａｔｉｏｎ  Ａｒｃｈｉｔｅｃｔｕｒｅ  Ｉｎｉｔｉａｔｉｖｅ）およびＣＰＲＩ（Ｃｏｍｍｏｎ  Ｐｕｂｌｉｃ  Ｒａｄｉｏ  Ｉｎｔｅｒｆａｃｅ）である。セル方式のペイロードデータは、高いデータ速度で、ＢＢＵとＲＲＨとの間で移送される。ＢＢＵフレームデータは、ペイロードＩＱデータ、制御および管理（Ｃ＆Ｍ）情報、キャリア周波数、信号帯域などで構成される。ベースバンドでのＢＢＵと、ＲＦでのＢＴＳとの両方の間でインタフェース接続する一般的なＤＡＳプラットフォームは、分散型アンテナ・システム・アーキテクチャを簡単にすることになる。ＲＲＨと同様に、ＤＲＵのための両方のデータストリームに適合する共通のデータ移送メカニズムは、分散型ＤＡＳアーキテクチャに対する接続インフラにおけるフレキシビリティーを提供する。
【０００６】
[0006]本発明の一実施形態によれば、分散型アンテナシステムにおいて信号をルーティングするシステムが提供される。システムは、複数のデジタル・マルチプレクサ・ユニット（ＤＭＵ：Ｄｉｇｉｔａｌ  Ｍｕｌｔｉｐｌｅｘｅｒ  Ｕｎｉｔ）を含む。複数のＤＭＵは、互いに結合され、複数のＤＭＵの間で信号を転送する（ルートする）ように動作可能である。複数のＤＭＵの各々は、ベースバンド・ユニット（ＢＢＵ）からデジタル信号を受信するように動作可能である。システムは、複数のＤＭＵの少なくとも１つに結合され、ＤＲＵと複数のＤＭＵの少なくとも１つとの間で信号を移送するように動作可能な複数のデジタル・リモート・ユニット（ＤＲＵ：Ｄｉｇｉｔａｌ  Ｒｅｍｏｔｅ  Ｕｎｉｔ）をさらに含む。
【０００７】
[0007]本発明の他の実施形態によれば、分散型アンテナシステム（ＤＡＳ）を動作する方法が提供される。方法は、少なくとも１つのデジタル・マルチプレクサ・ユニット（ＤＭＵ）においてベースバンド・ユニット（ＢＢＵ）からデジタル信号を受信するステップと、少なくとも１つのデジタル・アクセス・ユニット（ＤＡＵ：Ｄｉｇｉｔａｌ  Ａｃｃｅｓｓ  Ｕｎｉｔ）においてベース・トランシーバ・ステーション（ＢＴＳ）からＲＦ信号を受信するステップを含む。方法はさらに、受信したＲＦ信号をベースバンド信号へ変換するステップと、ベースバンド信号をデジタル・リモート・ユニット（ＤＲＵ)へ送信するステップを含む。方法はさらに、受信したデジタル信号をデジタル・インタフェース・ユニット（ＤＩＵ：Ｄｉｇｉｔａｌ  Ｉｎｔｅｒｆａｃｅ  Ｕｎｉｔ）へ送信するステップと、ＤＩＵから受信したデジタル信号をリモート無線ヘッド（ＲＲＨ)へ送信するステップを含む。
【０００８】
[0008]本発明の特別な実施形態によれば、複数のデジタル・マルチプレクサ・ユニット（ＤＭＵ）、複数のデジタル・リモート・ユニット（ＤＲＵ）、少なくとも１つのデジタル・インタフェース・ユニット（ＤＩＵ)および複数のリモート無線ヘッド（ＲＲＨ)を含む分散型アンテナシステムにおいて、信号をルーティングする方法が提供される。方法は、ベースバンド・ユニット（ＢＢＵ）からのデジタル信号を複数のＤＭＵの１つで受信するステップと、複数のＤＭＵの少なくとも１つからのデジタル信号を少なくとも１つのＤＩＵへ移送するステップを含む。方法はさらに、少なくとも１つのＤＩＵと複数のＲＲＨとの間で信号を移送するステップと、デジタル・アクセス・ユニット（ＤＡＵ)においてＲＦ信号を受信するステップを含む。方法はさらに、ＲＦ信号を第２のデジタル信号へ変換するステップと、第２のデジタル信号を複数のＤＲＵへ移送するステップを含む。
【０００９】
[0009]本発明の特定の実施形態によれば、分散型アンテナシステムにおいて信号をルーティングするシステムが提供される。システムは、複数のデジタル・マルチプレクサ・ユニット（ＤＭＵ）を含む。複数のＤＭＵは、互いに結合され、複数のＤＭＵ間で信号をルーティングするように動作可能である。システムはさらに、複数のＤＭＵに結合されＤＲＵとＤＭＵとの間で信号を移送するように動作可能な複数のデジタル・リモート・ユニット（ＤＲＵ）と、複数のＤＭＵへのデジタル接続を備え複数のＤＭＵと複数のＢＢＵセクター接続との間で信号を転送するように動作可能な複数のベース・バンド・ユニット（ＢＢＵ）を含む。システムはさらに、複数のデジタル・インタフェース・ユニット（ＤＩＵ)を含む。複数のＤＩＵは、互いに結合され、ＤＡＵとＤＩＵとの間で信号を移送するように動作可能である。システムは加えて、複数のＤＩＵへのデジタル接続を備えＲＲＨとＤＩＵとの間で信号を移送するように動作可能な複数のリモート無線ヘッド（ＲＲＨ)を含む。
【００１０】
[0010]複数のＤＭＵは、イーサネット（登録商標）ケーブル、光ファイバ、ラインオブサイト有りまたは無しのマイクロ波リンク、ワイヤレスリンクまたは衛星リンクの少なくとも１つを介して結合され得る。複数のＤＭＵは、イーサネット（登録商標）ケーブル、光ファイバ、ラインオブサイト有りまたは無しのマイクロ波リンク、ワイヤレスリンクまたは衛星リンクの少なくとも１つを介して、複数のＤＲＵに結合され得る。ＤＲＵは、デイジーチェーン接続で接続されることができ、またはＤＲＵは星状構成でＤＭＵに接続されることができる。ＤＭＵは、イーサネット（登録商標）ケーブル、光ファイバ、ラインオブサイト有りまたは無しのマイクロ波リンク、ワイヤレスリンクまたは衛星リンクの少なくとも１つを介して、ＢＢＵに接続され得る。ＤＲＵは、複数のＤＭＵにループ状に接続され得る。一実施形態において、ＤＩＵはＤＭＵに接続される。さらに、ＤＩＵ機能はＤＲＵに組み込まれ得る。
【００１１】
[0011]本発明の他の特別な実施形態によれば、複数のデジタル・マルチプレクサ・ユニット（ＤＭＵ)、複数のデジタル・リモート・ユニット（ＤＲＵ）、複数のリモート無線ヘッド（ＲＲＨ)、複数のデジタル・インタフェース・ユニット（ＤＩＵ)、複数のベースバンド・ユニット（ＢＢＵ）、およびＢＢＵセクター接続を含む分散型アンテナシステムにおいて、信号をルーティングするための方法が提供される。方法は、ＲＲＨとＤＩＵとの間で信号を移送するステップと、ＤＩＵとＤＭＵ若しくはＤＡＵとの間で信号を移送するステップと、ＤＭＵ間で信号をルーティングするステップを含む。方法はさらに、ＤＭＵと複数のＢＢＵセクター接続との間で信号をルーティングするステップと、ルーティングテーブルを提供するサブステップと、ルーティングテーブルにおいてマージブロックを使用するサブステップを含む。各々のＤＲＵにおける各々のキャリアのパワーレベルは、独立して制御され得る。
【００１２】
[0012]本発明のさらにもう１つの特別な実施形態によれば、分散型アンテナシステムにおいて信号をルーティングするためのシステムが提供される。システムは、複数のデジタル・インタフェース・ユニット（ＤＩＵ)、複数のデジタル・アクセス・ユニット（ＤＡＵ)、および複数のデジタル・マルチプレクサ・ユニット（ＤＭＵ)を含む。複数のＤＩＵは、互いに結合され、複数のＲＲＨ間で信号を転送するように動作可能であり、複数のＤＡＵは、互いに結合され、複数のＤＩＵ間で信号を転送するように動作可能であり、複数のＤＭＵは、互いに結合され、複数の複数のＤＭＵ間で信号を転送するように動作可能である。システムはさらに、複数のＤＭＵに結合され、ＤＲＵとＤＭＵとの間で信号を移送するように動作可能なデジタル・リモート・ユニット（ＤＲＵ）と、複数のＤＭＵへのデジタル接続を備え、複数のＤＭＵと複数のＢＢＵセクター接続との間で信号を転送するように動作可能な複数のベースバンド・ユニット（ＢＢＵ）を含む。一実施形態において、複数のＤＡＵは、互いに結合され、複数のＤＭＵ間で信号を転送するように動作可能である。システムはさらに、互いに結合され、複数のＤＡＵと複数のＢＴＳセクターＲＦ接続との間で信号を転送するように動作可能な複数のベース・トランシーバ・ステーション（ＢＴＳ）を含み得る。
【００１３】
[0013]本発明の実施形態によれば、分散型アンテナシステムにおいて信号をルーティングするためのシステムが提供される。システムは、互いに結合され、複数のＤＭＵ間で信号を転送するように動作可能な複数のデジタル・マルチプレクサ・ユニット（ＤＭＵ)と、複数のＤＭＵに結合され、ＤＲＵとＤＭＵとの間で信号を移送するように動作可能な複数のデジタル・リモート・ユニット（ＤＲＵ）、および複数のベースバンド・ユニット（ＢＢＵ）を含む。システムはさらに、複数のＤＭＵへのデジタル接続を備え、複数のＤＭＵと複数のＢＢＵとの間で信号を転送するように動作可能な複数のベースバンド・ユニットと、互いに結合されＤＡＵとＤＩＵとの間で信号を移送するように動作可能な複数のデジタル・インタフェース・ユニット（ＤＩＵ)と、複数のＤＩＵへのデジタル接続を備え、ＲＲＨとＤＩＵとの間で信号を移送するように動作可能な複数のリモート無線ヘッド（ＲＲＨ)を含む。
【００１４】
[0014]複数のＤＭＵは、イーサネット（登録商標）ケーブル、光ファイバ、ラインオブサイト有りまたは無しのマイクロ波リンク、ワイヤレスリンクまたは衛星リンクの少なくとも１つを介して結合され得る。複数のＤＭＵは、イーサネット（登録商標）ケーブル、光ファイバ、ラインオブサイト有りまたは無しのマイクロ波リンク、ワイヤレスリンクまたは衛星リンクの少なくとも１つを介して、複数のＤＲＵに結合され得る。ＤＲＵは、デイジーチェーン接続で接続されることができ、またはＤＲＵは星状構成でＤＭＵに接続されることができる。一実施形態では、ＤＭＵは、イーサネット（登録商標）ケーブル、光ファイバ、ラインオブサイト有りまたは無しのマイクロ波リンク、ワイヤレスリンクまたは衛星リンクの少なくとも１つを介して、ＢＢＵに接続され得る。ＤＲＵは、複数のＤＭＵにループ状に接続され得る。その上、ＤＩＵはＤＭＵに接続され得る。特定の実施形態では、ＤＩＵ機能はＤＲＵに組み込まれる。
【００１５】
[0015]本発明の他の実施形態によれば、複数のデジタル・マルチプレクサ・ユニット（ＤＭＵ)、複数のデジタル・リモート・ユニット（ＤＲＵ）、複数のリモート無線ヘッド（ＲＲＨ)、複数のデジタル・インタフェース・ユニット（ＤＩＵ)、複数のベースバンド・ユニット（ＢＢＵ）、およびＢＢＵセクター接続を含む分散型アンテナシステムにおいて、信号をルーティングするための方法が提供される。方法は、ＲＲＨとＤＩＵとの間で信号を移送するステップと、ＤＩＵとＤＭＵ若しくはＤＡＵとの間で信号を移送するステップと、ＤＭＵ間で信号をルーティングするステップを含む。方法はさらに、ＤＭＵと複数のＢＢＵセクター接続との間で信号をルーティングするステップと、ルーティングテーブルを提供するサブステップと、ルーティングテーブルにおいてマージブロックを使用するサブステップを含む。一実施形態では、各々のＤＲＵにおける各々のキャリアのパワーレベルは、独立して制御される。
【００１６】
[0016]発明の１つの特別な実施形態によれば、分散型アンテナシステムにおいて信号をルーティングするためのシステムが提供される。システムは、互いに結合され、複数のＲＲＨ間で信号を転送するように動作可能な複数のデジタル・インタフェース・ユニット（ＤＩＵ)、互いに結合され、複数のＤＩＵ間で信号を転送するように動作可能な複数のデジタル・アクセス・ユニット（ＤＡＵ)、および、互いに結合され、複数の複数のＤＭＵ間で信号を転送するように動作可能な複数のデジタル・マルチプレクサ・ユニット（ＤＭＵ)を含む。システムはさらに、複数のＤＭＵに結合され、ＤＲＵとＤＭＵとの間で信号を移送するように動作可能なデジタル・リモート・ユニット（ＤＲＵ）と、複数のベースバンド・ユニット（ＢＢＵ）と、複数のＤＭＵへのデジタル接続を備え、複数のＤＭＵと複数のＢＢＵセクター接続との間で信号を転送するように動作可能な複数のベースバンド・ユニットを含む。システムはさらに、互いに結合され、複数のＤＭＵと複数のベース・トランシーバ・ステーション（ＢＴＳ）との間で信号を転送するように動作可能な複数のデジタル・アクセス・ユニット（ＤＡＵ)を含み、複数のＢＴＳは、互いに結合され、複数のＤＡＵと複数のＢＴＳセクターＲＦ接続との間で信号を転送するように動作可能である。
【００１７】
[0017]発明の１つの特別な実施形態によれば、分散型アンテナシステムにおいて信号をルーティングするためのシステムは、複数のデジタル・マルチプレクサ・ユニット（ＤＭＵ)を含む。複数のＤＭＵは、互いに結合され、複数のＤＭＵ間で信号を転送するように動作可能である。システムはさらに、複数のＤＭＵに結合され、ＤＲＵとＤＭＵとの間で信号を移送するように動作可能な複数のデジタル・リモート・ユニット（ＤＲＵ）と、複数のベースバンド・ユニット（ＢＢＵ）と、複数のＤＭＵへのデジタル接続を備え、複数のＤＭＵと複数のＢＢＵセクター接続との間で信号を転送するように動作可能な複数のベースバンド・ユニットを含む。システムはさらに、互いに結合され、ＤＡＵとＤＩＵとの間で信号を移送するように動作可能な複数のデジタル・インタフェース・ユニット（ＤＩＵ)と、複数のＤＩＵへのデジタル接続を備え、ＲＲＨとＤＩＵとの間で信号を移送するように動作可能な複数のリモート無線ヘッド（ＲＲＨ)を含む。
【００１８】
[0018]従来の技法に関して本発明を通して多数の便益が達成される。例えば、本発明の実施形態は、ベースバンド・ユニットからのデジタル信号を受信し、ブロードキャストのためにデジタル信号をリモート・ユニットへ移送するデジタル・マルチプレクサ・ユニットを提供する。多くのその利点および特徴とともに、本発明のこれらのおよび他の実施形態は、以下の文章および付属する図に関連してより詳細に説明される。
【００１９】
[0019]本発明のさらなる目的および利点は、添付の図面に関連してなされる次の詳細な説明から完全に理解することができる。
【図面の簡単な説明】
【００２０】
【図１】[0020]本発明の一実施形態による基本構造ならびに移送ルーティングの実施例を示す、ブロック図である。
【図２】[0021]Ｎ＝１の周波数再利用パターンに対する基本構造ならびに３個のＤＭＵおよび各々のセルに対して互いにデイジーチェーン接続された７個のＤＲＵとともに単一の３セクタＢＢＵを有することに基づく移送ルーティングの実施例を示す、本発明の一実施形態によるブロック図である。
【図３】[0022]基本構造ならびに３個のＤＭＵおよび各々のセルに対して互いにデイジーチェーン接続された７個のＤＲＵとともに多数の３セクタＢＢＵを有することに基づく移送ルーティングの実施例を示す、本発明の一実施形態によるブロック図である。
【図４】[0023]本発明の一実施形態による物理ノードおよびローカルルータを包含するデジタル・アクセス・ユニット（ＤＡＵ）のブロック図である。
【図５】[0024]本発明の一実施形態によるデジタル・リモート・ユニット（ＤＲＵ）のブロック図である。
【図６Ａ】[0025]本発明の一実施形態による、多数のローカルルータ（ＤＭＵおよびＤＡＵ）が多数のリモートルータと相互接続される典型的なトポロジを描写する。
【図６Ｂ】本発明の一実施形態による、多数のローカルルータ（ＤＭＵおよびＤＡＵ）が多数のリモートルータと相互接続される典型的なトポロジを描写する。
【図７】[0026]ＤＡＵへのＢＴＳとＤＭＵへのＢＢＵとの間の相互接続のブロック図を示す。
【図８】[0027]本発明の一実施形態によるデジタル・マルチプレクサ・ユニット（ＤＭＵ）のブロック図である。
【図９】[0028]基本構造ならびに多数のＢＴＳならびに１個のＤＭＵ、１個のＤＡＵおよびＤＩＵによって入力される多数のＲＲＨとともに単一のＢＢＵを有することに基づく移送ルーティングの実施例を示す、本発明の一実施形態によるブロック図である。
【図１０】[0029]本発明の一実施形態による、多数のリモートルータがデジタル・インタフェース・ユニット（ＤＩＵ)と相互接続される典型的なトポロジを描写する。
【図１１】[0030]本発明の一実施形態によるデジタル・インタフェース・ユニット（ＤＩＵ)のブロック図である。
【発明を実施するための形態】
【００２１】
[0031]分散型アンテナシステム（ＤＡＳ）は、基地局リソースの利用の効率的な手段を提供する。ＤＡＳと関連付けられた基地局は、基地局ホテルとして一般に知られる中心的な場所および／または施設に設置することができる。従来のＤＡＳネットワークは、基地局とデジタル・リモート・ユニット（ＤＲＵ）との間でインタフェースとして機能する１つまたは複数のデジタル・アクセス・ユニット（ＤＡＵ）を含む。ＤＡＵは、基地局と併置することができる。ＤＲＵは、互いにデイジーチェーン接続、および／または星状構成で設置することができ、所与の地理的な区域に対してカバレッジを提供することができる。ＤＲＵは通常、高速光ファイバリンクを使用することによってＤＡＵと接続される。この手法は、基地局から遠隔地またはＤＲＵによってサービスされる区域へのＲＦ信号の転送を容易にする。典型的な基地局は、セクタとして一般に知られる、３つの独立した無線リソースを備える。これらの３つのセクタは通常、３つの異なったセクタでユーザ間の同一チャネル干渉を作り出すことなく３つの別個の地理的な区域をカバーするために用いられる。
【００２２】
[0032]分散型基地局アーキテクチャは、ベース・バンド・ユニット（ＢＢＵ）および多数の遠隔に設置したリモート無線ヘッド（ＲＲＨ)の使用を伴う。ＢＢＵをＲＲＨにインタフェース接続するために多くの規格が存在し、いくつかの例はＯＢＳＡＩ（Ｏｐｅｎ  Ｂａｓｅ  Ｓｔａｔｉｏｎ  Ａｒｃｈｉｔｅｃｔｕｒｅ  Ｉｎｉｔｉａｔｉｖｅ）およびＣＰＲＩ（Ｃｏｍｍｏｎ  Ｐｕｂｌｉｃ  Ｒａｄｉｏ  Ｉｎｔｅｒｆａｃｅ）である。慣例上、分散型基地局アーキテクチャおよび分散型アンテナシステム（ＤＡＳ）は、同じシステムで共存しない。分散型基地局アーキテクチャは、通常、ベンダ固有のインフラストラクチャを伴い、遠隔無線ユニット共有に対応できない。これは、会場の空間上の制約、審美上の制約もしくは、異なるオペレータによって動作され得る、異なるベンダー等の基地局に対応するためのニーズのような問題点のためにアンテナおよび無線ユニットの数を制限する要件を有するとき、問題となる。インフラストラクチャ共有は、所与の屋外または屋内の会場で番号可視のベンダ固有のユニットを減少させる手段である。本発明の実施形態によれば、分散型アンテナシステムは、すべての異なるベンダ固有のインタフェースに対応するためにベンダおよび変調非依存型である。ＲＦでさまざまなベンダＢＴＳからの信号を捕捉することは、ＤＡＳシステムが非依存型になることを確実にする手段である。しかしながら、有効なＤＡＳシステムは、ＲＦ信号をデジタル化し、リモート・ユニットにそれらを転送することになり、リモート・ユニットでそれらは変換されＲＦに戻ることになる。デジタル・アクセス・ユニット（ＤＡＵ）は、さまざまなＢＴＳからのＲＦ信号を受け入れるホスト・ユニットである。
【００２３】
[0033]ＢＴＳは、ベースバンド・ユニット（ＢＢＵ）および併置された無線ユニットで構成される。多数のベンダＢＴＳのさまざまな無線ユニットは、ＲＦでＤＡＳにおけるホストにインタフェース接続する。従い、無線ユニットは、ＤＡＳネットワークにおけるホストへの入力を提供する。より効率的なプロセスは、本発明の実施形態により提供されるように、ベンダＢＢＵに直接デジタル方式でインタフェース接続するデジタル・マルチプレクサ・ユニット（ＤＭＵ）を利用することである。これは、信号をＲＦに変換し、そして次にＤＡＵに信号をデジタルベースバンドに変換して戻す、ＢＴＳの要件を除去し得る。実質的な効果は、この付加的なステップの電力消費量を減少させることに加えて、変換プロセスを通して起こる任意の障害を取り除くことである。このＤＭＵは、それからさまざまなベンダＢＢＵにインタフェース接続することが可能にする。ＤＭＵは、別の重要な機能を果たす。ＤＭＵは、さまざまなセクターの信号をさまざまなリモート・ユニットに送られる単一のデータストリーム上に順に並べる。リモート・ユニット無線チャネルは、さまざまなセクター間で共有される。異なるＤＴＳは異なるオペレータによって動作され得る。ＤＭＵにおいて逆の動作が起こることになり、それによって、さまざまなリモートユニットからの受信されたアップリンク信号は、ＤＭＵに転送され戻り、そして次に特定のＢＢＵに分配される。ＤＭＵのさらなる特徴は、システムがＲＦインタフェースを必要とする旧式のＢＴＳ機器を持つとき、ＤＭＵがＤＡＵにインタフェース接続することができることである。
【００２４】
[0034]リモート無線ヘッド（ＲＲＨ)は、ベンダー固有のプロトコル若しくは固有ベンダー向けにスタンダードプロトコルを変形したものを介して、ＢＢＵと通信する。分散型無線ネットワークは、ＤＲＵとＲＲＨのコンビネーションを含み得る。ＤＲＵは、ＤＡＵと直接に通信し、ＢＢＵは、ＲＲＨと直接に通信する。ＢＢＵ、ＤＡＵ、ＤＲＵおよびＲＲＨのネットワークにおける通信を容易にするために、ベンダー固有のプロトコルは、ＤＡＳにおいて使用されるプロトコルからは明確にされて移送される。この移送メカニズムの一実施態様は、ベンダー固有のプロトコルとベンダー非固有のプロトコルを時分割多重化することになる。この性能は、複数のＲＲＨが同じＤＡＳネットワークに接続されることを可能とするであろう。本明細書で説明するデジタル・インタフェース・ユニット（ＤＩＵ)、ＲＲＨプロトコルをＤＡＵプロトコルへおよびＤＡＵプロトコルをＲＲＨプロトコルへ変換するために使用され得る。
【００２５】
[0035]図１に示された実施形態は、本発明の一実施形態によるＤＡＳネットワークアーキテクチャを例示し、３セクタ基地局と多数のＤＲＵとの間のデータ転送シナリオの例を提供する。この実施形態において、ＤＲＵは、特定の地理的な区域でカバレッジを達成するために互いにデイジーチェーン接続される。各々の個別のセクタは、セルとして識別される、独立した地理的な区域をカバーする。
【００２６】
[0036]図１は、多数のデジタル・リモート・ユニット（ＤＲＵ）および多数のデジタル・マルチプレクサ・ユニット（ＤＭＵ）を使用するＤＡＳシステムを描写する。特に、図１は、基本構造ならびに３個のＤＭＵおよび各々のセルに対して互いにデイジーチェーン接続された７個のＤＲＵとともに単一の３セクタＢＢＵを有することに基づく移送ルーティングの実施例を示す、ブロック図である。本発明によれば、各々のＤＲＵは、その特定のデジタル・リモート・ユニットによって受信されたアップリンクデータを一意的に識別する、ＤＲＵと関連付けられた一意的なヘッダ情報を提供する。
【００２７】
[0037]本発明の実施形態の１つの特徴は、ＤＲＵまたはＤＲＵの群の間で基地局無線リソースをルーティングする能力である。１つまたは複数の基地局から入手可能な無線リソースをルーティングするために、ＤＡＳネットワークにおけるＤＡＵおよびＤＲＵの個別のルータテーブルを構成することが望ましい。
【００２８】
[0038]ＤＭＵ１０２、および１０８は、多数のＤＡＵの間でＤＲＵ信号のルーティングを容易にするために互いにネットワーク化される。ＤＡＵは、基地局とＤＲＵとの間でＲＦダウンリンク信号およびＲＦアップリンク信号の移送をサポートする。このアーキテクチャは、さまざまな基地局信号を、多数のＤＲＵに、および多数のＤＲＵから、同時に移送することを可能にする。ピアポートは、ＤＡＵを相互接続しＤＲＵを相互接続するために用いられる。
【００２９】
[0039]ＤＡＵは、ＤＡＵとそのＤＡＵに接続された基地局との間で移送されるダウンリンク信号およびアップリンク信号の利得を（広い範囲にわたって小さい増加で）制御する性能を有する。この性能は、特定のＤＲＵ（または関連ＤＡＵを介したＤＲＵの群）と特定の基地局セクタとの間の経路のアップリンクおよびダウンリンク接続性を同時に制御するための柔軟性を提供する。
【００３０】
[0040]本発明の実施形態は、ネットワーク化されたＤＡＵを構成するためにルータテーブルを用いる。ローカル・ルータ・テーブルは、さまざまな出力に対する入力のマッピングを確立する。内部のマージブロックは、外部ポートおよびピアポートからの入力を同じデータストリームにマージする必要があるとき、ダウンリンクテーブルのために利用される。同様に、マージブロックは、ＬＡＮポートおよびピアポートからの入力を同じデータストリームにマージする必要があるとき、アップリンクテーブルで使用される。
【００３１】
[0041]リモート・ルータ・テーブルは、入力のさまざまな出力へのマッピングを確立する。内部のマージブロックは、ＬＡＮポートおよびピアポートからの入力を同じデータストリームにマージする必要があるとき、ダウンリンクテーブルのために利用される。同様に、マージブロックは、外部ポートおよびピアポートからの入力を同じデータストリームにマージする必要があるとき、アップリンクテーブルで用いられる。
【００３２】
[0042]図１に示すように、個別の基地局セクタの無線リソースは、ＤＲＵのデイジーチェーン接続されたネットワークに移送される。各々の個別のセクタの無線リソースは、ネットワーク化されたＤＲＵを介して、独立した地理的な区域にカバレッジおよびキャパシティーを提供する。いくつかの実施形態では、セクターの用語は、基地局無線リソースを特徴づけるために利用される。これらセクターはさらに、ある市場において、例えばセルＩＤとして参照され得る。その上、本発明の実施形態は、セルである地理的な区域をカバーするＤＲＵに関連して記述されるが、これらセルは、ある市場において、セクターとして参照され得る。したがって、利用する用語体系に依存して、基地局リソースは、セクターまたはセルＩＤとして参照され得る。さらに、１組のＤＲＵに関連する地理的な区域は、用語体系規則に依存して、セル、カバレッジ区域、もしくはセクタとして参照され得る。したがって、セクターおよびセルの用語は、特定の市場に依存して、互換され得る。
【００３３】
[0043]図１は、各々７個のＤＲＵの独立したネットワークを含む３つのセル（すなわち、セル１（１０７）、セル２（１３１）、およびセル３（１３２））が、どのように所与の地理的な区域にカバレッジおよびキャパシティーを提供するかを明示する。サーバ１３３は、ＤＡＳネットワークにおいて提供されるスイッチング機能を制御するために利用される。図１を参照すると、例として、ＤＭＵ１（１０２）は、ＢＢＵセクタ１（１０１）からデジタルダウンリンク信号を受信する。ＢＢＵセクターから受信するダウンリンク信号は、デジタルリンク（例えば、光ケーブル）を介してＤＭＵ１へ移送されるデジタルベースバンド信号（すなわち、ベースバンド周波数でのデジタル信号）である。この実装は、ＢＴＳからＲＦ信号（例えば、アナログ信号）を受信する他のシステムに対してコントラストを有する。光ケーブルは、デジタルベースバンド信号をＢＢＵのセクター１からＤＭＵ１へ移送するデジタルリンクの例として示されるが、これは本発明によって要求されるものではなく、銅ベースのケーブル、イーサネット（登録商標）、ワイヤレスリンク等を含む他のデジタル通信リンクが本発明の範囲内に含まれる。
【００３４】
[0044]ＤＭＵ１は、他のＤＭＵ（ＤＭＵ２ １０８およびＤＭＵ３ １３０）からのデジタルベースバンド信号をシリアルストリーム上に順に並べ、光ファイバケーブル１０３は、望ましい信号をＤＲＵ２（１０４）に移送する。したがって、図３に例示されるように、ＢＢＵの多数のセクターまたは多数のＢＢＵからの信号は併合され、光ケーブル１０３を使用してセル１へ移送され得る。追加の実施例として、ＢＢＵ１４０のすべての３つのセクターからの信号は、ＤＭＵ１、ＤＭＵ２、およびＤＭＵ３の相互接続の結果として、光ケーブル１２０、１２１を介してセル３およびセル２へそれぞれ移送され得る。
【００３５】
[0045]セル１を参照すると、光ケーブル１０５は、すべての光信号をＤＲＵ３（１０６）に移送する。セル１ １０７のためのデイジーチェーンの他のＤＲＵは、ＤＲＵ１（１０７）に向かって光信号を渡すことに関与している。光ケーブル１２０および光ケーブル１２１は、ＤＭＵ２（１０８）およびＤＭＵ３（１３０）からの信号をセル３（１３２）およびセル２（１３１）へそれぞれ移送するために利用される。
【００３６】
[0046]ＤＭＵ１（１０２）は、セクタ２（１０９）およびセクタ３（１１０）からのダウンリンク信号をセル１のすべてのＤＲＵに転送することを可能にするために、ＤＭＵ２（１０８）およびＤＭＵ３（１３０）とネットワーク化される。システムのスイッチング機能およびルーティング機能は、どのセクタの信号が各々のＤＲＵによって送信および受信されるかの選択を可能にする。ＤＭＵ２（１０８）は、光ケーブル１２４を用いてセル３（ＤＲＵ１５〜２１）に接続され、ＤＭＵ３（１１１）は、光ケーブル１２５を用いてセル２（ＤＲＵ８〜１４）に接続される。
【００３７】
[0047]図２は、Ｎ＝１の周波数再利用パターンが用いられるとき、より大きい地理的な区域に対してカバレッジを提供するために単一の基地局をどのように用いることができるかを例示する実施形態を示す。この実施形態では、移送ルーティングは、３個のＤＭＵおよび各々のセルに対して互いにデイジーチェーン接続された７個のＤＲＵとともに単一の３セクタＢＢＵを有することに基づく。図２を参照して、セル１およびセル８は、基地局のセクタ１の無線リソースを共有することになる。同様に、セル２およびセル１０は、セクタ２の無線リソースを共有することになる。図２に例示される実施形態では、多数の光ファイバ（例えば、ファイバ２０３および２０９）は各々のＤＭＵをセル（例えば、ＤＭＵ１、セル１およびセル８）へ接続するために使用される。類似のデュアルファイバ出力が、他のＤＭＵのために提供される。ある実施形態では、ＤＭＵとセルの間で接続される２つのファイバ上にマッチング信号を提供することにより、同時放送が実施され得る。単一のＤＭＵに接続されたセル間の空間的分離が図２に例示されているが、これは本発明によって要求されるものではなく、いくつかの実施形態は、すべてのセルのためにリユースされる全周波数とともに、Ｎ＝０のリユースパターンを利用する。これらの実施形態では、単一のＤＭＵに接続されるセルは、隣接し得る。したがって、各々のセクターからの信号が多数の組のデイジーチェーン接続されたＤＲＵに関連するより広い区域中に放送されるため、実施形態は、ＢＢＵのセクターに関連するカバレッジ区域を拡張するために提供する。いくつかの実施例は、セクター１ ２０１をＤＭＵ１ ２０２、光ケーブル２０３および２０９、ならびにセル１および８に関連づけたけれども、ＤＭＵの相互接続が、他のセクターに関連する信号を例示されたいづれのセルへ移送することを可能とすることに、留意されたい。
【００３８】
[0048]ＤＭＵは、基地局のＢＢＵとＤＲＵとの間のデータのルーティングを制御する。各々の個別のデータパケットは、それがどのＤＲＵに関連付けられているかを一意的に識別するヘッダを備える。ＤＭＵは、多数のＤＭＵの間でデータの移送を可能にするために、相互接続される。この特徴は、セクタと個別のＤＲＵとの間で信号をルーティングするために、ＤＡＳネットワークで一意的な柔軟性を提供する。サーバ２４０は、ＤＡＳネットワークにおいて提供されるスイッチング機能を制御するために利用される。図２を参照すると、例として、ＤＭＵ１（２０２）は、ＢＢＵ１セクタ１（２０１）からダウンリンク信号を受信する。ＤＭＵ１は、他のＤＭＵからのベースバンド信号をシリアルストリーム上に順に並べ、光ファイバケーブル２０３は望ましい信号をＤＲＵ２（２０４）に移送する。光ケーブル２０５は、すべての光信号をＤＲＵ３（２０６）に移送する。デイジーチェーンの他のＤＲＵは、ＤＲＵ１（２０７）に向かって光信号を渡すことに関与している。ＤＭＵ１（２０２）は、セクタ２およびセクタ３からのダウンリンク信号をセル１のすべてのＤＲＵに移送することを可能にするために、ＤＭＵ２（２０８）とネットワーク化される。光ファイバケーブル２０９は、ＤＲＵ２３（２１０）に望ましい信号を移送する。光ケーブル２１１は、すべての光信号をＤＲＵ２４（２１２）に移送する。デイジーチェーンの他のＤＲＵは、ＤＲＵ２２（２１３）に向かって光信号を渡すことに関与している。
【００３９】
[0049]図３は、所与の地理的な区域にサービスするためにＮ個のＢＢＵが相互接続される基地局ホテルを使用する適用例を例示する実施形態を示す。この実施形態では、多数の３セクタＢＢＵが、３個のＤＭＵおよび各々のセルに対して互いにデイジーチェーン接続された７個のＤＲＵとともに利用される。基地局ＢＢＵは、独立したワイヤレス・ネットワーク・オペレータおよび／または多数のインタフェース規格（ＣＰＲＩ、ＯＢＳＡＩ、など）を表すことができる。図３を参照すると、例として、ＤＭＵ１（３０２）は、ＢＢＵセクタ１（３０１）からダウンリンク信号を受信する。ＤＭＵ１（３０２）は、望ましい信号をＤＲＵ２（３０４）に移送する。光ケーブル３０５は、すべての光信号をＤＲＵ３（３０６）に移送する。デイジーチェーンの他のＤＲＵは、ＤＲＵ１（３０７）に向かって光信号を渡すことに関与している。ＤＭＵ１（３０２）は、ＢＢＵ１セクタ２からのダウンリンク信号をセル１のすべてのＤＲＵに移送することを可能にするために、ＤＭＵ２（３０８）とネットワーク化される。ＤＭＵ１（３０２）は、ＢＢＵセクタＮ（３０９）からダウンリンク信号を受信する。ＤＭＵ１（３０２）は、さまざまなＢＢＵおよびＤＭＵからのすべてのダウンリンク信号を順に並べる。
【００４０】
[0050]有限の基地局リソースを効率的に利用するために、ＤＲＵのネットワークは、それらの個別のアップリンク信号およびダウンリンク信号をＢＢＵセクタのいずれかに、およびＢＢＵセクタのいずれかから、リダイレクトする性能を有するべきである。ＤＲＵデータトラフィックは、一意的なストリームを有するので、ＤＭＵ相互接続は、異なるＢＢＵに信号をルーティングする機構を提供する。
【００４１】
[0051]一実施態様において、ＤＲＵは、図３におけるセル２で例示されるようにループ構成で、構成される。例示されるように、ＤＲＵ９乃至ＤＲＵ１４は、互いに接続され、ループを通してＤＲＵ８へ接続することにより、ＤＲＵの1つに障害が発生した場合にループにおけるＤＲＵの動作を可能とする。実施例として、もしＤＲＵ１３に障害が発生、またはＤＲＵ１３の接続に障害が発生した場合、セル２における他のＤＲＵがループ構成を通してアクセス可能となるであろう。
【００４２】
[0052]図４は、本発明の一実施形態による物理ノード（４００）およびローカルルータ（４０１）を含むデジタル・アクセス・ユニット（ＤＡＵ)のブロック図である。物理ノードは、ＲＦ信号をダウンリンク用のベースバンドに、そしてベースバンドからアップリンク用のＲＦに変換する。ローカルルータは、さまざまなＬＡＮポート、ピアポートおよび外部ポートの間でトラフィックを方向付ける。物理ノードは、無線周波数（ＲＦ）でＢＴＳに接続される。物理ノードは、異なるオペレータ、異なる周波数バンド、異なるチャネル、異なる規格、などに対して使用することができる。物理ノードは、デュプレクサを介してダウンリンク信号とアップリンク信号を結合することができ、または物理ノードは、単信構成に対する場合のように、ダウンリンク信号とアップリンク信号を別個の状態に保つことができる。
【００４３】
[0053]図４は、物理ノードがアップリンク（４０５）用の別個の出力およびダウンリンク経路（４０４）用の別個の入力を有する、実施形態を示す。物理ノードは、ＲＦからダウンリンク経路用のベースバンドに、そしてベースバンドからアップリンク経路用のＲＦに、信号を変換する。物理ノードは外部ポート（４０９、４１０）を介してローカルルータに接続される。ルータは、ＬＡＮポートおよびピアポートからのアップリンク・データ・ストリームを選択された外部Ｕポートに方向付ける。同様に、ルータは、外部Ｄポートからのダウンリンク・データ・ストリームを選択されたＬＡＮポートおよびピアポートに方向付ける。
【００４４】
[0054]一実施形態において、ＬＡＮポートおよびピアポートは、ＤＡＵおよびＤＲＵのネットワークに光ファイバを介して接続される。ネットワーク接続は、ＣＡＴ５ｅまたは６のケーブル配線などの銅配線、または他の適切な相互接続機具を同様に使用することができる。ＤＡＵは、ＩＰ（４０６）を用いてインターネットネットワークに同様に接続される。イーサネット（登録商標）接続（４０８）は、ホスト・ユニットとＤＡＵとの間で通信するために同様に使用される。ＤＲＵは同様に、イーサネット（登録商標）ポートを介して遠隔動作制御センタ（４０７）に直接接続することができる。デジタル・アクセス・ユニットに関連したさらなる説明は、その開示がすべての目的で全体として参照により本明細書に援用される、「仮想分散型アンテナシステムにおけるデータトランスポート（“Ｄａｔａ  Ｔｒａｎｓｐｏｒｔ  ｉｎ  ａ  Ｖｉｒｔｕａｌｉｚｅｄ  Ｄｉｓｔｒｉｂｕｔｅｄ  Ａｎｔｅｎｎa  Ｓｙｓｔｅｍ”）」という題の、２０１３年１月３０日に出願された米国特許出願第１３／７５４，７０２号明細書で提供される。
【００４５】
[0055]図５は、本発明の一実施形態によるデジタル・リモート・ユニット（ＤＲＵ）のブロック図である。ＤＲＵは、リモートルータ（５００）および物理ノード（５０１）の両方を含む。リモートルータは、ＬＡＮポート、外部ポートおよびピアポートの間でのトラフィックを方向付ける。物理ノードは、無線周波数（ＲＦ）でＢＴＳに接続される。物理ノードは、異なるオペレータ、異なる周波数バンド、異なるチャネル、などに対して用いることができる。図５は、物理ノードがアップリンク（５０４）用の別個の入力およびダウンリンク経路（５０３）用の別個の出力を有する実施形態を示す。物理ノードは、ＲＦからアップリンク経路用のベースバンドに、そしてベースバンドからダウンリンク経路用のＲＦに、信号を変換する。物理ノードは外部ポート（５０６、５０７）を介してリモートルータに接続される。ルータは、ＬＡＮポートおよびピアポートからのダウンリンク・データ・ストリームを、選択された外部Ｄポートに方向付ける。同様に、ルータは、外部Ｕポートからのアップリンク・データ・ストリームを、選択されたＬＡＮポートおよびピアポートに方向付ける。ＤＲＵは、リモートコンピュータもしくはワイヤレス・アクセス・ポイント、またはその両方がインターネットに接続できるように、イーサネット（登録商標）スイッチ（５０５）を同様に含む。
【００４６】
[0056]図６Ａ及び図６Ｂは、本発明の一実施形態による、多数のローカルルータ（ＤＭＵおよびＤＡＵ）が多数のリモートルータと相互接続される典型的なトポロジを描写する。この実施形態において、ＤＡＳネットワークは、多数のＤＭＵ、ＤＡＵ、および多数のＤＲＵを含む。ＤＲＵは、リモートルータおよび物理ノードのコンビネーションで表される。
【００４７】
[0057]第１のＢＢＵネットワーク６３１は、デジタルリンク６３０を含む１組のデジタルリンクを通して、ＤＭＵ Ａ ６００に接続される。第２のＢＢＵネットワーク６３３は、デジタルリンク６３２を含む１組のデジタルリンクを通して、ＤＭＵ Ｂ ６０４に接続される。ＤＭＵ Ａは、双方向通信リンク６１５および６１６を通して、リモートルータ Ｍ ６０１および物理ノード６０３を含む第１のＤＲＵに接続される。物理ノードは、図５に例示されるように、ＲＦネットワークへの接続性を提供する。リモートルータＮ ６０５および物理ノード６５１を含む第２のＤＲＵは、双方向通信リンク６１９を使用したデイジーチェーン構成で、第１のＤＲＵに接続される。この構成は、カスケード構成として参照され、多数のリモートルータを星状構成でリモートルータＭに接続する機会を提供することができ、星状構成は、リモートルータＮに類似の、各々リモートルータＭに接続される追加のリモートルータを提供する。したがって、単一のリモート（リモートルータＮ）が、リモートルータＭに接続されるように例示されているが、多数のルータ（例えば、リモートルータＮ’、リモートルータＮ’’など）が、リモートルータＭに接続され得る。当業者は、多くの変化形、改良、および代替物を認識するであろう。
【００４８】
[0058]ＤＲＵのためのデイジーチェーン構成に加えて、ＢＢＵがデイジーチェーン構成で接続され、ＤＲＵが星状構成で接続され得る。図６Ａ及び図６Ｂを参照すると、ＢＢＵネットワーク６３３は、デジタルリンク６３２を含む１組のデジタルリンクを通して、ＤＭＵ Ｂ ６０４に接続される。ＤＭＵ ＡおよびＤＭＵ Ｂはデジタルリンク６１７を使用したデイジーチェーン構成で接続される。リモートルータＯ ６０６および物理ノード６１１は、デジタルリンク６１８を通してＤＭＵ Ｂに接続される第３のＤＲＵを構成し、リモートルータＰ ６０７および物理ノード６１２は、デジタルリンク６２１を通してＤＭＵ Ｂに接続される第４のＤＲＵを構成する。したがって、第３および第４のＤＲＵは、星状構成でＤＭＵ Ｂに接続される。
【００４９】
[0059]図６Ａ及び図６Ｂは、物理ノード６１３を通してＲＦネットワークに接続されるＤＡＵ Ｌ ６０８を同様に例示する。ＤＡＵ Ｌは、リモートルータＲ ６０９および物理ノード６１４を含む第５のＤＲＵに接続される。したがって、図６Ａ及び図６Ｂに例示される構成は、ＢＢＵネットワークからのデジタル信号を受信するＤＭＵと、ＲＦネットワークからの信号を受信し、それをベースバンドにおいてデジタル信号に変換し、ＤＲＵに信号を移送する１つまたは複数のＤＡＵの両方を含む。デジタルリンク６２０は、デイジーチェーン構成でＤＭＵ Ｂに接続されるＤＡＵ Ｌとともに、ＤＡＵとＤＭＵとの間の接続性を提供する。
【００５０】
[0060]図６Ａ及び図６Ｂに例示される実施形態では、ＤＭＵおよびＤＡＵにおけるローカルルータは、ピアポートを介して相互接続される。ローカルルータは、光または銅接続を介して、ＤＲＵにおけるリモートルータに接続することができる。ＤＲＵにおけるリモートルータは、他のＤＲＵとデイジーチェーン構成で接続することができ、または、それらは星状構成を介してローカルルータと接続してもよい。ＤＭＵにおけるピアポートは、ローカルルータのＤＭＵに接続された物理ノードとリモートルータＤＲＵに接続された物理ノードとの間に直接接続がないときに使用され得る。ＤＲＵでのピアポートは、２つ以上のＤＲＵの間でデイジーチェーン接続するために使用され得る。
【００５１】
[0061]図７は、所与の地理的な区域にサービスするために多数のＢＢＵおよびＢＴＳが相互接続され得る基地局ホテルを使用する適用例を例示する実施形態を示す。図７は、ＤＡＵおよびＤＭＵの相互接続、およびローカルルータ（ＤＡＵおよびＤＭＳ）からのデジタル信号をリモートルータ（ＤＵＲ）へ移送することを含む、図６Ａ及び図６Ｂに例示される特徴を示す。
【００５２】
[0062]以下に説明されるように、図７は、ＢＴＳからＤＡＵ、および、ＢＢＵからＤＭＵの間の相互接続を例示する。ＢＢＵは、独立したワイヤレス・ネットワーク・オペレータおよび／または多数のインタフェース規格（ＣＰＲＩ、ＯＢＳＡＩ、など）および異なる規格を表すことができる。ＢＴＳは、独立したワイヤレス・ネットワーク・オペレータを表し、ＲＦでＤＡＵとインタフェース接続することができる。本発明の実施形態によれば、ＳＴＳ Ｎのセクタ１からのＲＦ信号を受信するＤＡＵ１は、ＢＢＵ１のセクタ１からのデジタルベースバンド信号を受信するＤＭＵと相互接続される。ＲＦ信号とベースバンド信号の両方を受信するＤＡＳネットワークにおけるホストの相互接続は、本発明の実施形態により提供されるユニークな実装である。
【００５３】
[0063]図７を参照すると、例として、ＤＡＵ１（７０２）は、ＲＦケーブル７１１を介してＢＴＳ Ｎセクタ１（７０９）からダウンリンク信号を受信する。ＢＴＳから受信されるＲＦ信号は、ＤＡＵ１において、ベースバンドへと変換され、デジタル化される。ＲＦ信号に関連するキャリア周波数は、ベースバンドへの変換の間に抽出される。ある実装では、ＤＡＵは各々の規格キャリア周波数に関連するポート（例えば、７００ＭＨｚポート、８５０ＭＨｚポート、１９００ＭＨｚポート、および２１００ＭＨｚポート）を提供する。したがって、ＢＴＳからのＲＦケーブルが接続されるポートは、キャリア周波数を特定するために利用され得る。
【００５４】
[0064]ＤＡＵ１（７０２）は、光ケーブル７０３を介して望ましい信号をＤＲＵ２（７０４）に移送する。光ケーブル７０５は、すべての光信号をＤＲＵ３（７０６）に移送する。デイジーチェーンの他のＤＲＵは、ＤＲＵ１（７０７）に向かって光信号を渡すことに関与している。他の実施形態では、図６Ａ及び図６Ｂとの関係で考察されるように、セル１のＤＲＵは、ＤＲＵ３とＤＲＵ１の各々に個別に星状構成で接続されるＤＲＵ２と、星状構成で接続され得る。したがって、この星状構成において、ＤＵＲ２は、ＤＡＵ１からの信号を受信し、その後、セル１の他のＤＲＵの各々に信号を移送することになる。
【００５５】
[0065]ＤＡＵ１（７０２）は、ＢＴＳ  Ｎセクタ２からのダウンリンク信号をセル１のすべてのＤＲＵに転送することを可能にするために、ＤＡＵ２（７０８）とネットワーク化される。ＤＡＵ１（７０２）は、ＢＴＳセクタＮ（７０９）からダウンリンク信号を受信する。
【００５６】
[0066]ＤＭＵ１（７１２）は、ＢＢＵ１セクター１（７０１）にインタフェース接続し、例として、光ケーブル７１０で示されるデジタルリンクを使用してＢＢＵ１のセクター１からダウンリンク信号を受信する。ＤＭＵ１で受信される信号は、デジタルベースバンド信号である。デジタル信号は、ブロードキャストのために対応するＤＲＵにおいて信号がＲＦ信号に変換されるとき、どのキャリア周波数に関連させるべきかについての情報を、ヘッダーと同様に提供するＩ／Ｑペイロードを含む。例えば、一実施形態では、１９００ＭＨｚ帯における第１の信号はＤＡＵ１によって受信され、ＤＲＵにおいて１９００ＭＨｚ帯で送信される第２の信号はＤＭＵ１によって受信され得る。本発明の実施形態を用いると、この第１の信号および第２の信号は、併合されることができ（すなわちフレーム化され）、例としてセル１内のＤＲＵに移送され、１９００ＭＨｚ帯へ変換され、ＲＦ信号として放送される。当業者にとって明らかであるように、併合された信号は、例えば、第１および第２の信号に関して、キャリア周波数すなわち１９００ＭＨｚ帯を特定するヘッダー情報を含む。
【００５７】
[0067]第１のフレーム化アプローチにおいて、時分割多重化が、キャリア周波数の各々に関連する信号、例えば、７００ＭＨｚ帯で放送される信号のためのフレームの第１部分、８５０ＭＨｚ帯で放送される信号のためのフレームの第２部分、１９００ＭＨｚ帯で放送される信号のためのフレームの第３部分を送信するために使用され得る。この第１のフレーム化アプローチにおいて、１９００ＭＨｚ帯に関連する、ＢＴＳのセクタおよびＢＢＵのセクタからの信号は、フレームの第３部分において併合され、後にそれを１９００ＭＨｚ帯で送信するＤＲＵへ移送される。
【００５８】
[0068]第２のフレーム化アプローチにおいて、（セルＩＤとして参照され得る）ＢＴＳの各々のセクタおよびＢＢＵの各々のセクタは、時分割多重化システムにおいてタイムスロットに割り当てられる。これらセクタからの信号は、ＤＡＵおよびＤＭＵによって収集され、タイムスロットを受けとり、チャネルとして参照され得る、各々のセクタからの信号とともにフレーム化される。
【００５９】
[0069]ある実施形態では、ＤＡＵおよびＤＭＵの相互接続のために、ＤＡＵ／ＤＭＵにおいてフレーム化された情報は、ＤＲＵが放送されるべきデータパケットを選択することで、すべてのＤＲＵセルに（例えば、ＤＡＵ／ＤＭＵおよびＤＲＵの間を光ケーブル上で移送される同じ信号と共に）移送され得る。図７を参照すると、特定の周波数で存在し信号バンド幅で特徴づけられるためキャリアとして参照され得る、ＢＴＳ Ｎのセクタ１からの信号は、ＤＲＵへ移送され得る。ＤＲＵにおいて、放送されるべきキャリアは、ＤＲＵのプログラミングによってシステムのリモートエンドで決定され得る。したがって、本発明の実施形態は、システムオペレータに、ネットワークを構成、再構成および最適化するフレキシビリティーを提供する。
【００６０】
[0070]ＤＭＵ１は、ＤＡＵ１と同様に、ＤＡＵ３およびＤＡＵ２と相互接続される。このキャパシティーは、ＢＴＳからの信号を、ＢＢＵからの信号とともに順に並べる機構を提供する。ＤＡＵ１およびＤＡＵ２を接続する光ケーブル７０３、ＤＡＵ２をＤＲＵ１６に接続する光ケーブル、およびＤＡＵ３をＤＲＵ９に接続する光ケーブルが、図７に例示されているけれども、本発明の実施形態によって信号がＤＭＵからＤＲＵへ移送され得ることは理解されるべきである。これらの実施形態において、光ケーブルは、ＤＡＳ機能を提供するために、例として、ＤＭＵ１をＤＲＵ２へ、ＤＭＵ２をＤＲＵ１６へ、およびＤＭＵ３をＤＲＵ９へ接続することになる。他の実施形態では、セル内のＤＲＵはＤＡＵおよびＤＭＵのコンビネーションに接続される。当業者は、多くの変化形、改良、および代替物を認識するであろう。
【００６１】
[0071]図８は、本発明の一実施形態によるデジタル・マルチプレクサ・ユニット（ＤＭＵ）のブロック図を示す。ＤＭＵ８０１は、ルータ（すなわち、光ネットワーク）およびＢＢＵ（ＢＢＵネットワーク８０４）インタフェースノードの両方を含む。ＤＭＵのルータ機能は、ＬＡＮポート、ＢＢＵポートおよびピアポートの間でのトラフィックを方向付ける。ＢＢＵノードは、デジタルリンク８０８を通して接続され、異なるオペレータＢＢＵ機器のために用いることができる。ルータは、ＬＡＮポートおよびピアポートによってデジタルリンク８０３を通して受信されるアップリンク・データ・ストリームを、選択されたＢＢＵポートに方向付ける。同様に、ルータは、ＢＢＵポートからのダウンリンク・データ・ストリームを、選択されたＬＡＮポートおよびピアポートに方向付ける。ＢＢＵポートは、その特定のポートに定められたアップリンク信号を、その特定のポートに接続されたＢＢＵによって用いられるインタフェース規格に変換する。同様に、ＢＢＵポートからのダウンリンク信号は、特定のＢＢＵプロトコル規格から、さまざまなダウンリンク信号を順に並べるために用いられる一般的なベースバンド信号に変換される。ＤＭＵは、リモートコンピュータ８０２またはワイヤレス・アクセス・ポイントがインターネットに接続できるように、イーサネット（登録商標）ポートを包含し、それによりリモート動作制御８０６が可能となる。さらに、ウェブ８０５へのアクセスは、ＩＰ接続によって提供される。ＤＭＵのＬＡＮポートは、ＤＭＵに接続されたさまざまなＤＲＵにインタフェース接続する。ピアポートは、他のＤＭＵまたはＤＡＵにインタフェース接続するために用いられる。
【００６２】
[0072]図９は、本発明の実施形態による、ＤＲＵとＲＲＨの両方を含む分散型無線ネットワークの一実施形態のブロック図を示す。図９では、基本構造ならびに多数のＢＴＳおよび１つまたは複数のＢＢＵを有することに基づく移送ルーティングの実施例が示される。先に考察された通り、ＢＴＳ１（９０９）、ＢＴＳ２、およびＢＴＳ３は、ＲＦケーブル９１１、９１５、および９１６を使用するＤＡＵ１ ９０２に接続される。先に考察された通り、ＢＢＵは、デジタルリンク９１０（例えば、光ケーブル）を使用するＤＭＵ１ ９１２に接続される。サーバは、ＤＡＵおよびＤＭＵを相互接続するために利用される。
【００６３】
[0073]光ケーブルであり得るデジタルリンク９０３が、ＤＡＵ１ ９０２からの信号をＤＲＵ２ ９０４へ移送するために利用される。セル１は、光ケーブル９０５などを通してＤＲＵ２からの信号を受信するＤＲＵ３とともに、デイジーチェーン構成を利用する。
【００６４】
[0074]光ケーブルであり得るデジタルリンク９０４が、ＤＡＵ１からの信号をデジタル・インタフェース・ユニット（ＤＩＵ)１ ９２２へ移送するために利用される。ＤＩＵ１に加えて、システムは、ＤＩＵ２のような追加のＤＩＵを含み得る。追加のＤＩＵは、ＤＡＵまたはＤＭＵのいづれかに接続され得る。当業者にとって明らかであるように、１つより多くのＤＡＵおよび１つより多くのＤＭＵが、本明細書を通して考察されるように、利用され得る。図９において、第２のＤＩＵ２ ９４２はデジタルリンクを使用してＤＭＵ１に接続され、セル４を構成する複数のＲＲＨはデジタルリンクを使用してＤＩＵ２に接続される。
【００６５】
[0075]セル２およびセル３は、ＤＩＵ１とインタフェース接続する多数のリモート無線ヘッド（ＲＲＨ)を含み、ベンダー固有のプロトコルを使用して対応するベンダーのＢＢＵ１（例えば、セクター９０１）と通信する。ＤＩＵは、ＲＲＨをＤＡＳネットワークに接続する機能により、ネットワーク内のどこへでも配置され得る。データ移送機構は、ＤＡＳプロトコルがベンダー固有のプロトコルと区別されるトンネルスルーアレンジメントに相当する。
【００６６】
[0076]セル２は、ＲＲＨがセル内の次のＲＲＨに接続されるデイジーチェーン構成を利用する。セル３は、デイジーチェーンおよび星状構成のコンビネーションを利用する。セル３では、例示されるように、第１の組のデイジーチェーン接続されたＲＲＨ（ＲＲＨ１６−ＲＲＨ１９）がＤＩＵ１に接続される。第２の組のデイジーチェーン接続されたＲＲＨ（ＲＲＨ２１、ＲＲＨ２０、およびＲＲＨ１５）が星状構成を提供するＤＩＵ１に、各々の組のＲＲＨがデイジーチェーン接続されるとともに、同様に接続される。
【００６７】
[0077]一実施形態において、ＢＢＵ１は、データ送信のための独自のプロトコルを利用する会社に関連し得る。それに応じて、ＢＢＵ１は、例えば、同じ会社によって製造された独自のＲＲＨと情報をやりとりする。この状況では、ＤＭＵ１およびＤＩＵ１は、独自のプロトコルを使用してデジタルリンク９１０（例えば、光ケーブル）を通してＢＢＵ１から受信される信号をＲＲＨ、例えばセル２およびセル３内のＲＲＨに移送するために、使用される。ＤＭＵ１において受信される信号は、ＤＡＵ１へ移送され、ＤＩＵ１へ転送され、その後適切なＲＲＨへ配信される。この設計は、独自の信号が利用されるとき、信号フォーマットから独立して、信号のリモートへの移送を効率よく提供する、フレキシビリティーを提供する。したがって、独自の（例えば、ＢＢＵ１）およびオープンな（ＢＴＳ１−ＢＴＳ２）構成の両方は、本発明の実施形態を使用して同じネットワーク上に統合される。一実施形態において、ルーティングテーブルが、ダウンリンク信号を適したＲＲＨへ転送するために、ＤＩＵ１内に提供され得る。当業者は、多くの変化形、改良、および代替物を認識するであろう。
【００６８】
[0078]図１０は、本発明の一実施形態による、２つのリモート無線ヘッド（ＲＲＨ）に接続されるデジタル・インタフェース・ユニット（ＤＩＵ)を描写する。このトポロジでは、多数のリモート無線ヘッドが、本発明の一実施形態によるＤＩＵと相互接続され得る。
【００６９】
[0079]ＲＲＨ１０５０および１０５１の各々は、リモート無線ベースバンド・ユニット１０００／１０１０および物理ノード１００１／１０１１およびその他の例示される物理ノードを含む。物理ノードは、ＲＦ無線の機能および１つまたは複数のアンテナ（図示せず）へのインタフェースを提供する。ＤＩＵ１０６０は、ＲＲＨと、ＤＡＵおよびＤＭＵへ信号を戻す光ファイバ１００２のような共通の移送媒体との間の信号をフレーム化／デフレーム化する。
【００７０】
[0080]図１０を参照すると、ＤＩＵは、ある実施形態において、光ファイバまたはケーブル１０６２／１０６３を使用して、リモート無線ベースバンド・ユニット１０００／１０１０に接続される。ＲＲＨは、デイジーチェーン接続もされ得るが、例示された実施形態では、星状構成でＤＩＵに接続される。ダウンリンク信号１００６は、リモート無線ベースバンド・ユニットＲから物理ノード、例えば物理ノード１００１へ送信され、アップリンク信号１００７は、物理ノードから受信される。先で考察されたように、ダウンリンク信号はＲＦケーブル１００３によってブロードキャストのためのアンテナへ送信され得る。アップリンク信号は、ＲＦケーブル１００４のようなＲＦケーブルを使用して物理ノードにおいて受信される。リモート無線ベースバンド・ユニット１０００は、イーサネット（登録商標）ケーブル１００８を使用してイーサネット（登録商標）スイッチ１００５に接続される。イーサネット（登録商標）スイッチは、ワイヤレス・アクセス・ポイント、コンピュータ１００９などに接続され得る。
【００７１】
[0081]本発明のモジュール性のために、物理ノード、例えば物理ノード１０１１に接続されるリモート無線ベースバンド・ユニットＱを含む第２のＲＲＨ１０５１が例示される。リモート無線ベースバンド・ユニットＲとの関係で考察されるように、ダウンリンク信号１０１６はリモート無線ベースバンド・ユニットＱから物理ノード、例えば物理ノード１０１１へ送信され、アップリンク信号１０１７は物理ノードから受信される。ダウンリンク信号は、ＲＦケーブル１０１３によってブロードキャストのためのアンテナへ送信され得る。アップリンク信号は、ＲＦケーブル１０１４のようなＲＦケーブルを使用して物理ノードにおいて受信される。リモート無線ベースバンド・ユニットＱもイーサネット（登録商標）スイッチ１００５に接続され得る。
【００７２】
[0082]図１１は、本発明の一実施形態によるデジタル・インタフェース・ユニット（ＤＩＵ)を例示するブロック図である。ＤＩＵ１１０１のこの実施形態では、ＲＲＨと、ＤＡＵまたはＤＭＵのいづれかをインタフェース接続する多数のポートが存在する。図１１に例示されるように、ＬＡＮポート１は、光ネットワーク１１０４への接続性を提供する光ファイバ１１０８に接続される。ＬＡＮポート２乃至Ｇは、例示された光ケーブルを通して光ネットワーク１１０４への接続性を提供する。加えて、ＬＡＮポートＪは、ＲＲＨネットワーク１１２０への接続性を提供する光ケーブル１１０３に接続される。ＬＡＮポートＫ乃至Ｍは、例示された光ケーブルを通してＲＲＨネットワーク１１２０への接続性を提供する。
【００７３】
[0083]ＤＩＵ１１０１の制御および管理を提供するため、イーサネット（登録商標）ケーブル１１０７が、通信リンク１１０６を使用してリモート動作制御によってアクセスされ得るホストユニット／サーバ１１０２と通信するために利用される。ある実施形態では、イーサネット（登録商標）ケーブル１１０７が光ファイバまたは他の適切な通信リンクを使用して取り替えられる。リモート動作制御のためのアクセスに加えて、ＤＩＵ１１０１がＩＰリンク１１３０を使用してウェブ１１０５へ接続され得る。ＤＩＵは、ＲＲＨからのアップリンク信号をＤＡＳフレームへとフレーム化し、ＲＲＨへのダウンリンクのための信号をデフレーム化するであろう。
【００７４】
[0084]本明細書で説明した実施例および実施形態は、例示的な目的のためだけものであり、これらを踏まえたさまざまな改良または変更は、当業者に示唆されることになり、本出願の精神および範囲の内に、そして添付の特許請求の範囲の範囲内に含まれるべきであることは、同様に理解される。
【００７５】
[0085]付録Ｉは、本明細書で用いる用語集であり、頭字語を含む。
付録Ｉ
用語集
ＡＣＬＲ  隣接チャネル漏洩比
ＡＣＰＲ  隣接チャネル電力比
ＡＤＣ  アナログ・デジタル・コンバータ
ＡＱＤＭ  アナログ直交復調器
ＡＱＭ  アナログ直交変調器
ＡＱＤＭＣ  アナログ直交復調器コレクタ
ＡＱＭＣ  アナログ直交変調器コレクタ
ＢＰＦ  バンドパスフィルタ
ＣＤＭＡ  符号分割多重アクセス
ＣＦＲ  波高率低減
ＤＡＣ  デジタル・アナログ・コンバータ
ＤＥＴ  検出器
ＤＨＭＰＡ  デジタル・ハイブリッド・モード電力増幅器
ＤＤＣ  デジタル・ダウン・コンバータ
ＤＮＣ  ダウンコンバータ
ＤＰＡ  ドハティ電力増幅器
ＤＱＤＭ  デジタル直交復調器
ＤＱＭ  デジタル直交変調器
ＤＳＰ  デジタル信号処理
ＤＵＣ  デジタル・アップ・コンバータ
ＥＥＲ  包絡線除去・復元（Ｅｎｖｅｌｏｐｅ  Ｅｌｉｍｉｎａｔｉｏｎ  ａｎｄ  Ｒｅｓｔｏｒａｔｉｏｎ）
ＥＦ  包絡線追従
ＥＴ  包絡線追跡
ＥＶＭ  エラーベクトル振幅
ＦＦＬＰＡ  フィードフォワード線形電力増幅器
ＦＩＲ  有限インパルス応答
ＦＰＧＡ  フィールド・プログラマブル・ゲート・アレイ
ＧＳＭ（登録商標）  グローバル・システム・フォー・モバイル・コミュニケーションズ
Ｉ−Ｑ  同相／直交
ＩＦ  中間周波数
ＬＩＮＣ  非線形素子を用いた線形増幅
ＬＯ  局所発信器
ＬＰＦ  ロー・パス・フィルタ
ＭＣＰＡ  マルチキャリア電力増幅器
ＭＤＳ  多方向探索
ＯＦＤＭ  直交周波数分割多重
ＰＡ  電力増幅器
ＰＡＰＲ  ピーク対平均電力比
ＰＤ  デジタル・ベースバンド・プリディストーション
ＰＬＬ  位相ロックループ
ＱＡＭ  直交振幅変調
ＱＰＳＫ  ４位相偏移変調
ＲＦ  無線周波数
ＲＲＨ  リモート無線ヘッド
ＳＡＷ  表面弾性波フィルタ
ＵＭＴＳ  ユニバーサル移動体通信システム
ＵＰＣ  アップコンバータ
ＷＣＤＭＡ（登録商標）  広帯域符号分割多重アクセス
ＷＬＡＮ  ワイヤレス・ローカル・エリア・ネットワーク
【図１】
2020150563.tif 000003
【図２】
2020150563.tif 000004
【図３】
2020150563.tif 000005
【図４】
2020150563.tif 000006
【図５】
2020150563.tif 000007
【図６Ａ】
2020150563.tif 000008
【図６Ｂ】
2020150563.tif 000009
【図７】
2020150563.tif 000010
【図８】
2020150563.tif 000011
【図９】
2020150563.tif 000012
【図１０】
2020150563.tif 000013
【図１１】
2020150563.tif 000014
【手続補正書】
【提出日】令和2年6月17日(2020.6.17)
【手続補正１】
【補正対象書類名】特許請求の範囲
【補正対象項目名】全文
【補正方法】変更
【補正の内容】
【特許請求の範囲】
【請求項１】
ベースバンド・ユニット（ＢＢＵ）から情報を受信する光入力ポートを有する少なくとも１つの第１のデジタル・マルチプレクサ・ユニット（ＤＭＵ）と、
前記少なくとも１つの第１のＤＭＵ及び複数のデジタル・リモート・ユニット（ＤＲＵ）に接続された少なくとも１つの第１のデジタル・アクセス・ユニット（ＤＡＵ）とを備え、
前記第１のＤＭＵにおいて受信される情報は、対応するＤＲＵにおいて信号がブロードキャストのためにＲＦに変換されるときに、どの無線リソースが当該信号に関連付けられるべきかに関する情報を提供するヘッダを含む、
無線システム。
【請求項２】
ベースバンド・ユニット（ＢＢＵ）から情報を受信する光入力ポートを有する第２のＤＭＵをさらに備える、
請求項１記載の無線システム。
【請求項３】
前記少なくとも１つの第１のＤＭＵは、前記第２のＤＭＵと通信動作する、
請求項２記載の無線システム。
【請求項４】
少なくとも１つの第１のＤＭＵ及び複数のデジタル・リモート・ユニット（ＤＲＵ）に接続された第２のデジタル・アクセス・ユニット（ＤＡＵ）をさらに備えた、
請求項１記載の無線システム。
【請求項５】
前記ＢＢＵは、ベース・トランシーバ・ステーションの部品である、
請求項１記載の無線システム。
【請求項６】
前記少なくとも１つの第１のＤＭＵは、前記少なくとも１つの第１のＤＡＵと相互接続された、
請求項１記載の無線システム。
【請求項７】
前記少なくとも１つの第１のＤＭＵのうちの少なくとも１つに接続されたデジタル・インタフェース・ユニット（ＤＩＵ）と、
前記ＤＩＵに接続された複数のリモート無線ヘッドとを備えた、
請求項１記載の無線システム。
【請求項８】
少なくとも１つの第１のデジタル・アクセス・ユニット（ＤＡＵ）と複数のデジタル・リモート・ユニット（ＤＲＵ）とに接続された少なくとも１つの第１のデジタル・マルチプレクサ・ユニット（ＤＭＵ）の光ポートにおいて、ベースバンド・ユニット（ＢＢＵ）から情報を受信するステップを含み、
前記第１のＤＭＵにおいて受信される情報は、対応するＤＲＵにおいて信号がブロードキャストのためにＲＦに変換されるときに、どの無線リソースが当該信号に関連付けられるべきかに関する情報を提供するヘッダを含む、
方法。
【請求項９】
ベースバンド・ユニット（ＢＢＵ）からの情報を第２のＤＭＵの光ポートにおいて受信するステップを含む、
請求項８記載の方法。
【請求項１０】
前記少なくとも１つの第１のＤＭＵは、前記第２のＤＭＵと通信動作する、
請求項９記載の方法。
【請求項１１】
第２のデジタル・アクセス・ユニット（ＤＡＵ）は、少なくとも１つの第１のＤＭＵ及び複数のデジタル・リモート・ユニット（ＤＲＵ）に接続された、
請求項８記載の方法。
【請求項１２】
前記ＢＢＵは、ベース・トランシーバ・ステーションの部品である、
請求項８記載の方法。
【請求項１３】
前記少なくとも１つの第１のＤＭＵは、前記少なくとも１つの第１のＤＡＵと相互接続された、
請求項８記載の方法。
【請求項１４】
デジタル・インタフェース・ユニット（ＤＩＵ）は、前記少なくとも１つの第１のＤＭＵのうちの少なくとも１つと、複数のリモート無線ヘッドとに接続された、
請求項８記載の方法。
【外国語明細書】
2020150563.tif 000015
2020150563.tif 000016
2020150563.tif 000017
2020150563.tif 000018
2020150563.tif 000019
2020150563.tif 000020
2020150563.tif 000021
2020150563.tif 000022
2020150563.tif 000023
2020150563.tif 000024
2020150563.tif 000025
2020150563.tif 000026
2020150563.tif 000027
2020150563.tif 000028
2020150563.tif 000029
2020150563.tif 000030
2020150563.tif 000031
2020150563.tif 000032
2020150563.tif 000033
2020150563.tif 000034
2020150563.tif 000035
2020150563.tif 000036
2020150563.tif 000037
2020150563.tif 000038
2020150563.tif 000039
2020150563.tif 000040
2020150563.tif 000041
2020150563.tif 000042
2020150563.tif 000043
2020150563.tif 000044
2020150563.tif 000045
2020150563.tif 000046
2020150563.tif 000047
2020150563.tif 000048
2020150563.tif 000049
2020150563.tif 000050
2020150563.tif 000051
2020150563.tif 000052
2020150563.tif 000053